(57)【要約】【課題】ユーザの認知機能の状態を容易に把握すること。【解決手段】情報処理装置であって、ユーザの認知機能テスト結果データを取得して記録する第１記録部と、あらかじめ用意された複数の認知機能改善プログラムから、認知機能テスト結果データに対応する認知機能改善プログラムを選択するプログラム選択部と、プログラム選択部が選択した認知機能改善プログラムのユーザによる実行履歴を記録する第２記録部と、ユーザの食事情報、睡眠情報、飲酒情報、喫煙情報、ストレス情報、性別および年齢の少なくともいずれかを記録する第３記録部と、第１、第２、第３記録部に記録された情報を対比可能に表示する表示制御部と、を備えた。【選択図】  図１
2020109540.tif 000002
【特許請求の範囲】
【請求項１】
ユーザの認知機能テスト結果データを取得して記録する第１記録部と、
あらかじめ用意された複数の認知機能改善プログラムから、前記認知機能テスト結果データに対応する認知機能改善プログラムを選択するプログラム選択部と、
前記プログラム選択部が選択した前記認知機能改善プログラムの前記ユーザによる実行履歴を記録する第２記録部と、
前記ユーザの食事情報、睡眠情報、飲酒情報、喫煙情報、ストレス情報、性別および年齢の少なくともいずれかを記録する第３記録部と、
前記第１、第２、第３記録部に記録された情報を対比可能に表示する表示制御部と、
を備えた情報処理装置。
【請求項２】
前記プログラム選択部は、前記第３記録部に記録された、前記ユーザの食事情報、睡眠情報、飲酒情報、喫煙情報、ストレス情報、性別および年齢の少なくともいずれかに基づいて、認知機能改善プログラムを選択する請求項１に記載の情報処理装置。
【請求項３】
前記認知機能改善プログラムは、一画面中に、脳刺激用画像と運動用画像との両方を表示させ、体を動かしながら考えて答えを出すプログラムであって、
前記認知機能改善プログラムを実行中の前記ユーザを撮像する撮像部と、
前記撮像部によって撮像された動画を分析して前記ユーザによる前記認知機能改善プログラムの達成度を評価する評価部と、
をさらに備えた請求項１または２に記載の情報処理装置。
【請求項４】
前記認知機能改善プログラムは、一画面中に、脳刺激用画像と運動用画像との両方を表示させ、体を動かしながら考えて答えを出すプログラムであって、
前記認知機能改善プログラムを実行中の前記ユーザを撮像する撮像部と、
他の情報処理装置と通信を行い前記認知機能改善プログラムの実行中の動画および実行結果を共有する通信部と、
をさらに備えた請求項１、２または３に記載の情報処理装置。
【請求項５】
前記第１、第２、第３記録部に記録された情報を用いてレポートを作成するレポート作成部をさらに備えた請求項１乃至４のいずれか１項に記載の情報処理装置。
【請求項６】
前記認知機能改善プログラムを実行中の前記ユーザの声の大きさを判定する判定部と、
前記判定部が判定した前記ユーザの声の大きさに応じたメッセージを、前記ユーザに対して報知する報知部と、
を備えた請求項１乃至５のいずれか１項に記載の情報処理装置。
【請求項７】
前記プログラム選択部は、前記ユーザによる前記認知機能改善プログラムの達成度に応じた難易度の前記認知機能改善プログラムを選択する請求項３乃至６に記載の情報処理装置。
【請求項８】
ユーザの認知機能テスト結果データを取得して記録する第１記録ステップと、
あらかじめ用意された複数の認知機能改善プログラムから、前記認知機能テスト結果データに対応する認知機能改善プログラムを選択するプログラム選択ステップと、
前記プログラム選択ステップにおいて選択した前記認知機能改善プログラムの前記ユーザによる実行履歴を記録する第２記録ステップと、
前記ユーザの食事情報、睡眠情報、飲酒情報、喫煙情報、ストレス情報、性別および年齢の少なくともいずれかを記録する第３記録ステップと、
前記第１、第２、第３記録ステップにおいて記録された情報を対比可能に表示する表示制御ステップと、
を含む情報処理方法。
【請求項９】
ユーザの認知機能テスト結果データを取得して記録する第１記録ステップと、
あらかじめ用意された複数の認知機能改善プログラムから、前記認知機能テスト結果データに対応する認知機能改善プログラムを選択するプログラム選択ステップと、
前記プログラム選択ステップにおいて選択した前記認知機能改善プログラムの前記ユーザによる実行履歴を記録する第２記録ステップと、
前記ユーザの食事情報、睡眠情報、飲酒情報、喫煙情報、ストレス情報、性別および年齢の少なくともいずれかを記録する第３記録ステップと、
前記第１、第２、第３記録ステップにおいて記録された情報を対比可能に表示する表示制御ステップと、
をコンピュータに実行させる情報処理プログラム。
【発明の詳細な説明】
【技術分野】
【０００１】
本発明は、情報処理装置、情報処理方法および情報処理プログラムに関する。
【背景技術】
【０００２】
上記技術分野において、特許文献１には、所定の活動を終了した時刻と脳を刺激するようなトレーニングゲームを開始した時刻との間の時間が所定の時間内である場合に、評価ポイントを加算する技術が開示されている。
【先行技術文献】
【特許文献】
【０００３】
【特許文献１】特開２０１７−２２３７８５号公報
【発明の概要】
【発明が解決しようとする課題】
【０００４】
しかしながら、上記文献に記載の技術では、ユーザの認知機能の状態を容易に把握することができなかった。
【０００５】
本発明の目的は、上述の課題を解決する技術を提供することにある。
【課題を解決するための手段】
【０００６】
上記目的を達成するため、本発明に係る情報処理装置は、
ユーザの認知機能テスト結果データを取得して記録する第１記録部と、
あらかじめ用意された複数の認知機能改善プログラムから、前記認知機能テスト結果データに対応する認知機能改善プログラムを選択するプログラム選択部と、
前記プログラム選択部が選択した前記認知機能改善プログラムの前記ユーザによる実行履歴を記録する第２記録部と、
前記ユーザの食事情報、睡眠情報、飲酒情報、喫煙情報、ストレス情報、性別および年齢の少なくともいずれかを記録する第３記録部と、
前記第１、第２、第３記録部に記録された情報を対比可能に表示する表示制御部と、
を備えた。
【０００７】
上記目的を達成するため、本発明に係る情報処理方法は、
ユーザの認知機能テスト結果データを取得して記録する第１記録ステップと、
あらかじめ用意された複数の認知機能改善プログラムから、前記認知機能テスト結果データに対応する認知機能改善プログラムを選択するプログラム選択ステップと、
前記プログラム選択ステップにおいて選択した前記認知機能改善プログラムの前記ユーザによる実行履歴を記録する第２記録ステップと、
前記ユーザの食事情報、睡眠情報、飲酒情報、喫煙情報、ストレス情報、性別および年齢の少なくともいずれかを記録する第３記録ステップと、
前記第１、第２、第３記録ステップにおいて記録された情報を対比可能に表示する表示制御ステップと、
を含む。
【０００８】
上記目的を達成するため、本発明に係る情報処理プログラムは、
ユーザの認知機能テスト結果データを取得して記録する第１記録ステップと、
あらかじめ用意された複数の認知機能改善プログラムから、前記認知機能テスト結果データに対応する認知機能改善プログラムを選択するプログラム選択ステップと、
前記プログラム選択ステップにおいて選択した前記認知機能改善プログラムの前記ユーザによる実行履歴を記録する第２記録ステップと、
前記ユーザの食事情報、睡眠情報、飲酒情報、喫煙情報、ストレス情報、性別および年齢の少なくともいずれかを記録する第３記録ステップと、
前記第１、第２、第３記録ステップにおいて記録された情報を対比可能に表示する表示制御ステップと、
をコンピュータに実行させる。
【発明の効果】
【０００９】
本発明によれば、ユーザの認知機能の状態を容易に把握することができる。
【図面の簡単な説明】
【００１０】
【図１】本発明の第１実施形態に係る情報処理装置の構成を示すブロック図である。
【図２Ａ】本発明の第２実施形態に係る情報処理装置の動作の概要を説明する図である。
【図２Ｂ】本発明の第２実施形態に係る情報処理装置の動作の概要を説明する他の図である。
【図２Ｃ】本発明の第２実施形態に係る情報処理装置の動作の概要を説明するさらに他の図である。
【図２Ｄ】本発明の第２実施形態に係る情報処理装置によるレポートの一例を説明する図である。
【図２Ｅ】本発明の第２実施形態に係る情報処理装置によるレポートの一例を説明する他の図である。
【図２Ｆ】本発明の第２実施形態に係る情報処理装置によるレポートの一例を説明するさらに他の図である。
【図２Ｇ】本発明の第２実施形態に係る情報処理装置によるレポートの一例を説明するさらに他の図である。
【図２Ｈ】本発明の第２実施形態に係る情報処理装置によるレポートの一例を説明するさらに他の図である。
【図３】本発明の第２実施形態に係る情報処理装置の構成を示すブロック図である。
【図４Ａ】本発明の第２実施形態に係る情報処理装置が有する改善プログラムテーブルの一例を示す図である。
【図４Ｂ】本発明の第２実施形態に係る情報処理装置が有する評価テーブルの一例を示す図である。
【図５】本発明の第２実施形態に係る情報処理装置のハードウェア構成を示すブロック図である。
【図６】本発明の第２実施形態に係る情報処理装置の処理手順を説明するフローチャートである。
【図７】本発明の第３実施形態に係る情報処理装置の構成を示すブロック図である。
【図８】本発明の第３実施形態に係る情報処理装置が有する通信テーブルの一例を示す図である。
【図９】本発明の第３実施形態に係る情報処理装置のハードウェア構成を示すブロック図である。
【図１０】本発明の第３実施形態に係る情報処理装置の処理手順を説明するフローチャートである。
【図１１】本発明の第４実施形態に係る情報処理装置の構成を示すブロック図である。
【図１２】本発明の第４実施形態に係る情報処理装置が有するレポートテーブルの一例を示す図である。
【図１３】本発明の第４実施形態に係る情報処理装置のハードウェア構成を示すブロック図である。
【図１４】本発明の第４実施形態に係る情報処理装置の処理手順を説明するフローチャートである。
【図１５】本発明の第５実施形態に係る情報処理装置の構成を示すブロック図である。
【図１６】本発明の第５実施形態に係る情報処理装置が有するメッセージテーブルの一例を示す図である。
【図１７】本発明の第５実施形態に係る情報処理装置のハードウェア構成を示すブロック図である。
【図１８】本発明の第５実施形態に係る情報処理装置の処理手順を説明するフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理装置１００について、図１を用いて説明する。情報処理装置１００は、ユーザの認知機能の状態を把握するための装置である。
【００１３】
図１に示すように、情報処理装置１００は、第１記録部１０１、プログラム選択部１０２、第２記録部１０３、第３記録部１０４および表示制御部１０５を含む。
【００１４】
第１記録部１０１は、ユーザの認知機能テスト結果データを取得して記録する。プログラム選択部１０２は、あらかじめ用意された複数の認知機能改善プログラムから、認知機能テスト結果データに対応する認知機能改善プログラムを選択する。第２記録部１０３は、プログラム選択部１０２が選択した認知機能改善プログラムのユーザによる実行履歴を記録する。第３記録部１０４は、ユーザの食事情報、睡眠情報、飲酒情報、喫煙情報、ストレス情報、性別および年齢の少なくともいずれかを記録する。表示制御部１０５は、第１記録部１０１、第２記録部１０３、第３記録部１０４に記録された情報を対比可能に表示する。
【００１５】
本実施形態によれば、ユーザの認知機能の状態を容易に把握できる。
【００１６】
［第２実施形態］
次に本発明の第２実施形態に係る情報処理装置について、図２Ａ乃至図６を用いて説明する。図２Ａは、本実施形態に係る情報処理装置の動作の概要を説明する図である。図２Ｂは、本実施形態に係る情報処理装置の動作の概要を説明する他の図である。図２Ｃは、本実施形態に係る情報処理装置の動作の概要を説明するさらに他の図である。
【００１７】
情報処理装置２００は、ユーザに対して認知機能改善プログラムを提供する。情報処理装置２００は、認知機能改善プログラムとして、画面２１０に、脳刺激用画像２１１と運動用画像２１２との両方を表示させる。ユーザは、画面２１０に表示された脳刺激用画像２１１と運動用画像２１２を見ながら、運動用画像２１２と同じ運動をし、脳刺激用画像２１１として表示された設問に答える。図２Ａには、脳刺激用画像２１１として、表示された４つの選択肢から正解を選ぶ画像が表示されている。図２Ｂには、脳刺激用画像２１１として、簡単な計算（四則演算）に答える画像が表示されている。図２Ｃには、脳刺激用画像２１１として、イラストの名称を答える画像が表示されている。画面２１０は、ユーザが所有するパーソナルコンピュータのディスプレイや、タブレットおよびスマートフォンのディスプレイ、テレビのディスプレイ、投影用のディスプレイ（プロジェクター）を含むが、これらには限定されない。
【００１８】
図２Ｄは、本実施形態に係る情報処理装置によるレポートの一例を説明する図である。図２Ｄに示したように、情報処理装置２００は、総合結果に関するレポートを画面２１０に表示する。情報処理装置２００は、ユーザのプログラム参加日数および認知機能検査結果（ＭｏＣＡ（Montreal Cognitive Assessment）またはＭｏＣＡ−Ｊ（Japanese version of MoCA））を画面２１０に表示する。ユーザは、自身の認知機能改善プログラムの参加日数と、総合的な認知機能検査結果が、１８点から２５点（３０点満点）に変化していることを知ることができる。なお、情報処理装置２００は、認知機能検査結果として、ＭｏＣＡを表示しているが、認知機能検査結果はＭｏＣＡには限定されず、その他の認知機能検査結果を表示してもよい。
【００１９】
図２Ｅは、本実施形態に係る情報処理装置によるレポートの一例を説明する他の図である。図２Ｅに示したように、情報処理措装置２００は、記憶機能に関するレポートを画面２１０に表示する。情報処理相装置２００は、ユーザの記憶に関するプログラム参加本数および認知機能検査結果を画面２１０に表示する。ユーザは、認知機能改善プログラムを何回実行したかと、記憶機能に関する認知機能検査結果が、５点から７点（９点満点）に変化していることを知ることができる。
【００２０】
図２Ｆは、本実施形態に係る情報処理装置によるレポートの一例を説明するさらに他の図である。図２Ｆに示したように、情報処理装置２００は、言語に関するレポートを画面２１０に表示する。情報処理装置２００は、ユーザの言語に関するプログラム参加本数および認知機能検査結果を画面２１０に表示する。ユーザは、認知機能改善プログラムを何回実行したかと、言語に関する認知機能検査結果が、１点から２点（２点満点）に変化していることを知ることができる。
【００２１】
図２Ｇは、本実施形態に係る情報処理装置によるレポートの一例を説明するさらに他の図である。図２Ｇに示したように、情報処理装置２００は、視空間認知に関するレポートを画面２１０に表示する。情報処理装置２００は、ユーザの視空間認知に関するプログラム参加本数および認知機能検査結果を画面２１０に表示する。ユーザは、認知機能改善プログラムを何回実行したかと、視空間認知に関する認知機能検査結果が、２点から３点（４点満点）に変化していることを知ることができる。
【００２２】
図２Ｈは、本実施形態に係る情報処理装置によるレポートの一例を説明するさらに他の図である。図２Ｈに示したように、情報処理装置２００は、実行機能・注意・集中・見当識等に関するレポートを画面２１０に表示する。情報処理装置２００はユーザの実行機能・注意・集中・見当識に関するプログラム参加本数および認知機能検査結果を画面２１０に表示する。ユーザは、認知機能改善プログラムを何回実行したかと、実行機能・注意・集中・見当識に関する認知機能検査結果が、１０点から１２点（１５点満点）に変化していることを知ることができる。
【００２３】
図３は、本実施形態に係る情報処理装置の構成を示すブロック図である。情報処理装置２００は、記録部３０１、プログラム選択部３０２、記録部３０３、記録部３０４、表示制御部３０５、撮像部３０６および評価部３０７を有する。
【００２４】
記録部３０１は、ユーザの認知機能テスト結果データを取得して記録する。認知機能テストは、例えば、ＭｏＣＡ（Montreal Cognitive Assessment）またはＭｏＣＡ−Ｊ（Japanese version of MoCA）が代表的である。ＭｏＣＡは、軽度認知機能障害（ＭＣＩ：Mild Cognitive Impairment）を検出するためのスクリーニング検査として開発されたテストであり、ＭｏＣＡ−Ｊは、ＭｏＣＡの日本語版である。なお、認知機能テストは、ここに示した例には限定されず、ユーザの認知機能を判定可能なテストであれば、いずれのテストを用いてもよい。
【００２５】
そして、記録部３０１は、ユーザが受けた認知機能テストの結果データを取得して、記録する。認知機能テスト結果データの取得方法は、例えば、記録部３０１が、ユーザの認知機能テスト結果データが格納されている所定のデータベースにアクセスして取得してもよい。また、ユーザが、認知機能テスト結果データをスマートフォンなどの携帯端末を用いて入力し、入力された認知機能テスト結果データを当該携帯端末から取得してもよい。認知機能テスト結果データの取得方法は、これには限定されない。
【００２６】
プログラム選択部３０２は、あらかじめ用意された複数の認知機能改善プログラムから、認知機能テスト結果データに対応する認知機能改善プログラムを選択する。認知機能改善プログラムは、ユーザの認知機能テスト結果に対応させてあらかじめ複数のプログラムが用意されている。つまり、ユーザの認知機能の状態は様々あり、その様々ある認知機能の状態に合わせて、複数の認知機能改善プログラムが用意されている。認知機能改善プログラムは、例えば、脳の特定の部位（視覚野、言語野、運動野）や特定の機能、複数の部位、複数の機能をトレーニングするためのプログラムである。そして、プログラム選択部３０２は、ユーザが改善すべき認知機能をトレーニングするための認知機能改善プログラムを複数の認知機能改善プログラムの中から選択する。
【００２７】
記録部３０３は、プログラム選択部３０２が選択した認知機能改善プログラムのユーザによる実行履歴を記録する。ユーザは、プログラム選択部３０２が選択した認知機能改善プログラムを実行するが、記録部３０３は、ユーザが実行した実行履歴は、実行回数、実行日時、点数、スコア、進捗状況などの実行結果であるが、これらには限定されない。
【００２８】
記録部３０４は、ユーザの食事情報、睡眠情報、飲酒情報、喫煙情報、ストレス情報、性別および年齢の少なくともいずれかを記録する。食事情報は、ユーザが食べたものや食べた時間、食べた量を含む情報である。睡眠情報は、ユーザの睡眠時間（トータルの睡眠時間、何時に寝て何時に起きたか）、睡眠の質（入眠潜時、レム睡眠、ノンレム睡眠）、睡眠時の呼吸、心拍、血圧、体温を含む情報である。飲酒情報は、ユーザの飲酒頻度、飲酒量、酒の種類を含む情報である。喫煙情報は、喫煙の有無や喫煙頻度、喫煙年数、喫煙銘柄を含む情報である。ストレス情報は、職業の有無、職業の内容、家庭環境、配偶者、家族構成、借金、社会的地位を含む情報である。なお、各情報は、ここに示した例には限定されない。また、記録部３０４に記録される情報は、ここに示した情報には限定されない。
【００２９】
そして、プログラム選択部３０２は、記録部３０４に記録された、ユーザの食事情報、睡眠情報、飲酒情報、喫煙情報、ストレス情報、性別および年齢の少なくともいずれかに基づいて、認知機能改善プログラムを選択する。
【００３０】
表示制御部３０５は、記録部３０１，３０３，３０４に記録された情報を対比可能に表示するように制御する。表示制御部３０５は、ユーザのスマートフォンのディスプレイや、テレビのディスプレイなどに記録部３０１，３０３，３０４に記録された情報を対比可能に表示するように制御する。記録部３０１，３０３，３０４に記録された情報が、対比可能に表示されるので、ユーザは、現状の把握や、改善具合の把握を容易に行える。表示制御部３０５が、ユーザの認知機能の状態、認知機能改善プログラム、生活習慣、ストレス状態、性別、年齢を含む様々な情報を対比可能に表示するので、ユーザの認知機能の状態を多角的に管理することができる。
【００３１】
撮像部３０６は、認知機能改善プログラムを実行中のユーザを撮像する。ここで、認知機能改善プログラムは、一画面中に、脳刺激用画像と運動用画像との両方を表示させ、ユーザが体を動かしながら考えて答えを出すプログラムである。脳刺激用画像は、例えば、脳をトレーニングするための画像であり、いわゆる、脳トレーニング（脳トレ）などと呼ばれるものである。脳刺激用画像は、記憶や計算、連想など、脳の特定の機能や特定の部位などをトレーニングするための画像（設問）である。脳刺激用画像は、例えば、簡単な計算を行う計算画像や、所定の質問に対して正解となる回答を選択するクイズ画像、所定の質問と関連する回答を選択する連想画像、記憶を刺激する記憶画像を含むが、これらには限定されない。
【００３２】
そして、ユーザは、運動用画像の動きに合わせて運動を行いながら、脳刺激用画像を見て、脳刺激用画像の答えを考えて、回答する。この場合、ユーザが脳刺激用画像に集中し過ぎると運動がおろそかになる。また、これとは反対に、運動に集中しすぎると、脳刺激用画像に対する正答率が下がったり、回答時間が長くなったりする。そのため、撮像部３０６は、認知機能改善プログラムを実行しているユーザの姿を撮像して、ユーザの運動の様子と、脳刺激用画像に対する回答の様子とを動画として記録する。なお、撮像部３０６は、動画撮影用のカメラを含む。
【００３３】
評価部３０７は、撮像部３０６によって撮像された動画を分析してユーザによる認知機能改善プログラムの達成度を評価する。動画を分析することにより、ユーザが、どれくらい正確に運動を行えているかなども考慮に入れて、認知機能改善プログラムの達成度を評価できる。評価部３０７は、動画分析の他にも、脳刺激用画像に対するユーザの回答時間や正答率などに基づいて、ユーザの認知機能改善プログラムの達成度を評価する。
【００３４】
そして、プログラム選択部３０２は、ユーザによる認知機能改善プログラムの達成度に応じた難易度の認知機能改善プログラムを選択する。達成度に応じた難易度の認知機能改善プログラムを選択するので、プログラム選択部３０２は、自動難易度調整を行うことができる。このように、プログラム選択部３０２は、ユーザの達成度の評価に応じた難易度の認知機能改善プログラムを自動的に選択するので、施設のスタッフがユーザの達成度を確認して認知機能改善プログラムを選択する必要がないので、施設スタッフの負担を軽減できる。
【００３５】
図４Ａは、本実施形態に係る情報処理装置が有する改善プログラムテーブルの一例を示す図である。改善プログラムテーブル４０１は、認知機能テスト結果４１１に関連付けてユーザ情報４１２および認知機能改善プログラムＩＤ（Identifier）４１３を記憶する。認知機能テスト結果４１１は、記憶部３０１に相当し、ユーザ情報４１２は、記憶部３０４に相当し、認知機能改善プログラムＩＤ４１３は、記憶部３０３に相当する。ユーザ情報４１２は、ユーザに関する情報であり、食事情報、睡眠情報、飲酒情報、喫煙情報、ストレス情報、性別および年齢を含む。認知機能改善プログラムＩＤ４１３は、あらかじめ用意されている複数の認知機能改善プログラムを識別するための識別子である。認知機能改善プログラムには、脳刺激用画像および運動用画像が含まれる。そして、プログラム選択部３０２は、改善プログラムテーブル４０１を参照して認知機能テスト結果データに対応する認知機能改善プログラムを選択する。
【００３６】
図４Ｂは、本実施形態に係る情報処理装置が有する評価テーブルの一例を示す図である。評価テーブル４０２は、ユーザＩＤ４２１に関連付けて実行認知機能改善プログラム４２２、動画４２３、分析結果４２４および評価４２５を記憶する。ユーザＩＤ４２１は、ユーザを識別するための識別子である。実行認知機能改善プログラム４２２は、ユーザが実行した認知機能改善プログラムである。動画４２３は、撮像部３０６で撮像した認知機能改善プログラムを実行中のユーザである。分析結果４２４は、動画を分析した結果である。評価４２５は、動画分析を行って評価したユーザの認知機能改善プログラムの達成度の評価である。
【００３７】
図５は、本実施形態に係る情報処理装置のハードウェア構成を示すブロック図である。ＣＰＵ(Central Processing Unit)５１０は、演算制御用のプロセッサであり、プログラムを実行することで図３の情報処理装置２００の機能構成部を実現する。ＣＰＵ５１０は複数のプロセッサを有し、異なるプログラムやモジュール、タスク、スレッドなどを並行して実行してもよい。ＲＯＭ(Read Only Memory)５２０は、初期データおよびプログラムなどの固定データおよびその他のプログラムを記憶する。また、ネットワークインタフェース５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、ネットワークインタフェース５３０は、ＣＰＵ５１０とは独立したＣＰＵを有して、ＲＡＭ(Random Access Memory)５４０の領域に送受信データを書き込みあるいは読み出しするのが望ましい。また、ＲＡＭ５４０とストレージ５５０との間でデータを転送するＤＭＡＣ(Direct Memory Access Controller)を設けるのが望ましい（図示なし）。さらに、ＣＰＵ５１０は、ＲＡＭ５４０にデータが受信あるいは転送されたことを認識してデータを処理する。また、ＣＰＵ５１０は、処理結果をＲＡＭ５４０に準備し、後の送信あるいは転送はネットワークインタフェース５３０やＤＭＡＣに任せる。
【００３８】
ＲＡＭ５４０は、ＣＰＵ５１０が一時記憶のワークエリアとして使用するランダムアクセスメモリである。ＲＡＭ５４０には、本実施形態の実現に必要なデータを記憶する領域が確保されている。認知機能テスト結果５４１は、ユーザが認知機能テストを受けた結果のデータである。ユーザ情報５４２は、ユーザに関する情報であり、食事情報、睡眠情報、飲酒情報、喫煙情報、ストレス情報、性別および年齢の少なくともいずれかを含む。認知機能改善プログラム５４３は、あらかじめ用意された認知機能改善のためのプログラムである。表示画像５４４は、脳刺激用画像と運動用画像との両方を一画面中に表示させるためのデータである。動画５４５は、認知機能改善プログラムを実行中のユーザを撮影したものである。評価結果５４６は、撮像された動画を分析してユーザによる認知機能改善プログラムの達成度を評価した結果である。
【００３９】
送受信データ５４７は、ネットワークインタフェース５３０を介して送受信されるデータである。また、ＲＡＭ５４０は、各種アプリケーションモジュールを実行するためのアプリケーション実行領域５４８を有する。
【００４０】
ストレージ５５０には、データベースや各種のパラメータ、あるいは本実施形態の実現に必要な以下のデータまたはプログラムが記憶されている。ストレージ５５０は、改善プログラムテーブル４０１および評価テーブル４０２を格納する。改善プログラムテーブル４０１は、図４Ａに示した、認知機能テスト結果４１１と認知機能改善プログラムＩＤ４１３などとの関係を管理するテーブルである。評価テーブル４０２は、図４Ｂに示した、ユーザＩＤ４２１と評価４２５などとの関係を管理するテーブルである。
【００４１】
また、ストレージ５５０は、記録データ５５１を格納する。記録データ５５１は、ユーザの認知機能テスト結果データ、選択した認知機能改善プログラムのユーザによる実行履歴データ、ユーザの食事情報データ、睡眠情報データ、飲酒情報データ、喫煙情報データ、ストレス情報データ、性別データおよび年齢データを含む。
【００４２】
ストレージ５５０は、さらに、プログラム選択モジュール５５２、表示制御モジュール５５３、撮像モジュール５５４および評価モジュール５５５を格納する。プログラム選択モジュール５５２は、あらかじめ用意された認知機能改善プログラムから、認知機能テスト結果データに対応する認知機能改善プログラムを選択するモジュールである。表示制御モジュール５５３は、記録データとして記録された情報を対比可能に表示するモジュールである。撮像モジュール５５４は、認知機能改善プログラムを実行中のユーザを撮像するモジュールである。評価モジュール５５５は、撮像された動画を分析してユーザによる認知機能改善プログラムの達成度を評価するモジュールである。これらのモジュール５５２〜５５５は、ＣＰＵ５１０によりＲＡＭ５４０のアプリケーション実行領域５４８に読み出され、実行される。制御プログラム５５６は、情報処理装置２００の全体を制御するためのプログラムである。
【００４３】
入出力インタフェース５６０は、入出力機器との入出力データをインタフェースする。入出力インタフェース５６０には、表示部５６１、操作部５６２、が接続される。また、入出力インタフェース５６０には、さらに、記憶媒体５６４が接続されてもよい。さらに、音声出力部であるスピーカ５６３や、音声入力部であるマイク（図示せず）、あるいは、ＧＰＳ位置判定部が接続されてもよい。なお、図５に示したＲＡＭ５４０やストレージ５５０には、情報処理装置２００が有する汎用の機能や他の実現可能な機能に関するプログラムやデータは図示されていない。
【００４４】
図６は、本実施形態に係る情報処理装置２００の処理手順を説明するフローチャートである。このフローチャートは、図５のＣＰＵ５１０がＲＡＭ５４０を使用して実行し、図３の情報処理装置２００の機能構成部を実現する。
【００４５】
ステップＳ６０１において、情報処理装置２００は、ユーザの認知機能テスト結果データを取得して記録する。ステップＳ６０３において、ユーザの食事情報、睡眠情報、飲酒情報、喫煙情報、ストレス情報、性別および年齢などのユーザ情報を記録する。ステップＳ６０５において、情報処理装置２００は、あらかじめ用意された複数の認知機能改善プログラムから、認知機能テスト結果データに対応する認知機能改善プログラムを選択する。また、情報処理装置２００は、ユーザ情報のすくなくともいずれかに基づいて、認知機能改善プログラムを選択する。ステップＳ６０７において、情報処理装置２００は、一画面中に認知機能改善プログラムとして脳刺激用画像と運動用画像との両方を表示させる。
【００４６】
ステップＳ６０９において、情報処理装置２００は、認知機能改善プログラムを実行中のユーザを撮像する。ステップＳ６１１において、情報処理装置２００は、ユーザによる認知機能改善プログラムの実行が終了したか否かを判定する。ユーザによる認知機能改善プログラムの実行が終了していないと判定した場合（ステップＳ６１１のＮＯ）、情報処理装置２００は、ステップＳ６０９に戻る。ユーザによる認知機能改善プログラムの実行が終了したと判定した場合（ステップＳ６１１のＹＥＳ）、情報処理装置２００は、ステップＳ６１３へ進む。
【００４７】
ステップＳ６１３において、情報処理装置２００は、選択した認知機能改善プログラムのユーザによる実行履歴を記録する。ステップＳ６１５において、情報処理装置２００は、撮像された動画を分析する。ステップＳ６１７において、情報処理装置２００は、動画の分析結果から、ユーザによる認知機能改善プログラムの達成度を評価する。
【００４８】
本実施形態によれば、ユーザの認知機能の状態を把握できる。ユーザの認知機能の状態に合わせた認知機能改善プログラムを自動的に選択できる。また、認知機能テスト結果、認知機能改善プログラム実行履歴およびユーザの食事情報などを対比可能に表示するので、ユーザの認知機能の状態を容易に把握できる。さらに、身体的な運動と合わせて認知機能改善プログラムを実行するので認知機能の低下および運動能力の低下を効果的に予防できる。さらに、認知機能改善プログラムの選択、認知機能改善プログラムの達成度の評価を自動的に行うので、介護士を含む施設スタッフの負荷を軽減でき、プログラムの選択や評価のクオリティをコントロールできる。ユーザの達成度の評価に応じた難易度の認知機能改善プログラムを選択するので、ユーザの認知機能の改善を確実に達成できる。
【００４９】
［第３実施形態］
次に本発明の第３実施形態に係る情報処理装置について、図７乃至図１０を用いて説明する。図７は、本実施形態に係る情報処理装置の構成を示すブロック図である。本実施形態に係る情報処理装置は、上記第２実施形態と比べると、通信部を有する点で異なる。その他の構成および動作は、第２実施形態と同様であるため、同じ構成および動作については同じ符号を付してその詳しい説明を省略する。
【００５０】
情報処理装置７００は、通信部７０１を有する。通信部７０１は、他の情報処理装置と通信を行う。通信部７０１は、他の情報処理装置と通信を行うことにより、認知機能改善プログラムの実行中の動画および認知機能改善プログラムの実行結果を共有する。通信部７０１が、他の情報処理装置と通信を行うので、複数の拠点や施設において、ユーザ同士の交流を促進したり、同時に同じ認知機能改善プログラムを実行したりできる。ユーザ同士で認知機能改善プログラムの実行結果を共有すれば、ユーザは、他のユーザが認知機能改善プログラムを実行した結果や進捗状況を知ることができる。これにより、ユーザは、認知機能改善プログラムを実行することに対するモチベーションの維持を図れ、他のユーザに対する競争心からより真剣に認知機能改善プログラムに取り組めるようになる。
【００５１】
また、例えば、通信部７０１は、ユーザ属性やユーザ情報に基づいて、通信先となる他の情報処理装置を決定してもよい。ユーザ情報に基づいて、通信先の他の情報処理装置を選択すれば、例えば、離れた場所にいる年齢の近いユーザ同士の交流を図れたり、食習慣が似通っているユーザを集めたイベントを実施したりできる。
【００５２】
また、通信部７０１は、音声通信を行ってもよい。これにより、ユーザ同士で会話を行え、ユーザ同士の交流をさらに促進できる。ユーザは、他の施設の認知機能改善プログラムの実行状況を臨場感を持って体感することができ、ユーザのモチベーションの維持を図れる。通信部７０１は、リアルタイムで他の情報処理装置と通信できるので、運営スタッフの少ない施設に対して、他の施設のスタッフが遠隔サポートや遠隔介入することもできる。ユーザは、複数拠点間でのコミュニケーションを図りながら、認知機能改善プログラムを実行できる。
【００５３】
図８は、本実施形態に係る情報処理装置が有する通信テーブルの一例を示す図である。通信テーブル８０１は、情報処理装置ＩＤ８１１に関連付けて通信情報８１２、実行中画像８１３および実行結果８１４を記憶する。情報処理装置ＩＤ８１１は、複数の情報処理装置を識別するための識別子である。通信情報８１２は、複数の情報処理装置間で通信をするために必要な情報であり、例えば、アドレスや通信プロトコルを含む情報である。実行中画像８１３は、認知機能改善プログラムを実行中のユーザを撮像した画像である。実行結果８１４は、ユーザが認知機能改善プログラムを実行した結果である。
【００５４】
図９は、本実施形態に係る情報処理装置のハードウェア構成を示すブロック図である。ＲＡＭ９４０は、ＣＰＵ５１０が一時記憶のワークエリアとして使用するランダムアクセスメモリである。ＲＡＭ９４０には、本実施形態の実現に必要なデータを記憶する領域が確保されている。通信先データ９４１は、他の情報処理装置と通信を行うためのデータであり、他の情報処理装置のアドレスや通信プロトコルを含むデータである。
【００５５】
ストレージ９５０には、データベースや各種のパラメータ、あるいは本実施形態の実現に必要な以下のデータまたはプログラムが記憶されている。ストレージ９５０は、通信テーブル８０１を格納する。通信テーブル８０１は、図８に示した、情報処理装置ＩＤ８１１と通信情報８１２などとの関係を管理するテーブルである。ストレージ９５０は、さらに、通信モジュール９５１を格納する。通信モジュール９５１は、他の情報処理装置と通信を行い認知機能改善プログラムの実行中の動画および実行結果を共有するモジュールである。
【００５６】
図１０は、本実施形態に係る情報処理装置７００の処理手順を説明するフローチャートである。このフローチャートは、図９のＣＰＵ５１０がＲＡＭ９４０を使用して実行し、図７の情報処理装置７００の機能構成部を実現する。
【００５７】
ステップＳ１００１において、情報処理装置７００は、通信処理を行い、他の情報処理装置と通信を行う。情報処理装置７００は、認知機能改善プログラムの実行中の動画を他の情報処理装置と共有する。また、ステップＳ１００３において、情報処理装置７００は、通信処理を行う。情報処理装置７００は、認知機能改善プログラムの実行結果を他の情報処理装置と共有する。
【００５８】
本実施形態によれば、他の情報処理装置と通信するので、複数の施設同士を接続すれば、特別なイベントや日常的なイベントを行うことができる。また、ユーザ同士の交流を促進できる。運営スタッフの揃っている施設と運営スタッフの少ない施設との間で通信を行えば、運営スタッフの少ない施設の遠隔サポートや遠隔介入をすることができる。複数の施設のユーザに対して、同時に同じ認知機能改善プログラムを実行させることができる。
【００５９】
［第４実施形態］
次に本発明の第４実施形態に係る情報処理装置について、図１１乃至図１４を用いて説明する。図１１は、本実施形態に係る情報処理装置の構成を示すブロック図である。本実施形態に係る情報処理装置は、上記第２実施形態および第３実施形態と比べると、レポート作成部を有する点で異なる。その他の構成および動作は、第２実施形態および第３実施形態と同様であるため、同じ構成および動作については同じ符号を付してその詳しい説明を省略する。
【００６０】
情報処理装置１１００は、レポート作成部１１０１を有する。レポート作成部１１０１は、記録部３０１、記録部３０３、および記録部３０４に記録された情報を用いてレポートを作成する。レポートには、ユーザの認知機能テスト結果データ、認知機能改善プログラムの実行履歴、ユーザの食事情報、睡眠情報、飲酒情報、喫煙情報、ストレス情報、性別、年齢を含む情報の因果関係や、達成度の推移を示すグラフが含まれる。また、レポートには、ユーザが改善するべき点、例えば、睡眠時間に関するアドバイス、酒量に関するアドバイス、喫煙に関するアドバイスが含まれる。なお、レポートに含まれるアドバイスアは、ここに示した例には限定されない。
【００６１】
図１２は、本実施形態に係る情報処理装置が有するレポートテーブルの一例を示す図である。レポートテーブル１２０１は、ユーザＩＤ４２１に対応付けて、認知機能テスト結果４１１、実行履歴１２１１、ユーザ情報４１２および評価４２５を記憶する。実行履歴１２１１は、ユーザが実行した認知機能改善プログラムの履歴である。そして、レポート作成部１１０１は、レポートテーブル１２０１を参照してレポートを作成する。
【００６２】
図１３は、本実施形態に係る情報処理装置のハードウェア構成を示すブロック図である。ＲＡＭ１３４０は、ＣＰＵ５１０が一時記憶のワークエリアとして使用するランダムアクセスメモリである。ＲＡＭ１３４０には、本実施形態の実現に必要なデータを記憶する領域が確保されている。実行履歴１３４１は、ユーザが認知機能改善プログラムを実行した履歴に関するデータであり、進捗状況やスコアを含むデータである。
【００６３】
ストレージ１３５０には、データベースや各種のパラメータ、あるいは本実施形態の実現に必要な以下のデータまたはプログラムが記憶されている。ストレージ９５０は、レポートテーブル１２０１を格納する。レポートテーブル１２０１は、図１２に示した、ユーザＩＤ４２１と実行履歴１２１１との関係を管理するテーブルである。ストレージ９５０は、さらに、レポート作成モジュール１３５１を格納する。レポート作成モジュール１３５１は、記録部３０１，３０３，３０４に記録された情報を用いてレポートを作成するモジュールである。
【００６４】
図１４は、本実施形態に係る情報処理装置の処理手順を説明するフローチャートである。このフローチャートは、図１３のＣＰＵ５１０がＲＡＭ１３４０を使用して実行し、図１１の情報処理装置１１００の機能構成部を実現する。ステップＳ１４０１において、情報処理装置１１００は、記録部３０１，３０３，３０４に記録された情報を用いてレポートを作成する。
【００６５】
本実施形態によれば、レポート作成を自動化したので、施設スタッフのスキルに依存しないレポートを作成でき、施設スタッフの負担を軽減でき、人件費を削減することができる。
【００６６】
［第５実施形態］
次に本発明の第５実施形態に係る情報処理装置について、図１５乃至図１８を用いて説明する。図１５は、本実施形態に係る情報処理装置の構成を示すブロック図である。本実施形態に係る情報処理装置は、上記第２実施形態乃至第４実施形態と比べると、判定部および報知部を有する点で異なる。その他の構成および動作は、第２実施形態乃至第４実施形態と同様であるため、同じ構成および動作については同じ符号を付してその詳しい説明を省略する。
【００６７】
情報処理装置１５００は、判定部１５０１および報知部１５０２を有する。判定部１５０１は、認知機能改善プログラムを実行中のユーザの声の大きさを判定する。判定部１５０１は、ユーザの声の大きさの他に、声の高低、ユーザの息遣い、息継ぎ、リズム、イントネーションを判定してもよい。
【００６８】
報知部１５０２は、判定部１５０１が判定したユーザの声の大きさに応じたメッセージをユーザに対して報知する。ユーザに報知するメッセージは、「大きな声がでていますね！」を含むが、これには限定されない。これにより、ユーザに対して認知機能改善プログラム実行中のユーザの声の大きさに応じたメッセージを報知できるので、ユーザは、リアルタイムフィードバックを受けられる。また、報知部１５０２は、ユーザの声の高低、ユーザの息遣い、息継ぎ、リズム、イントネーションに応じたメッセージをユーザに対してメッセージを報知してもよい。
【００６９】
図１６は、本実施形態に係る情報処理装置が有するメッセージテーブルの一例を示す図である。メッセージテーブル１６０１は、声１６１１に関連付けてメッセージ１６１２を記憶する。声１６１１には、ユーザの声の大きさ、息遣い、息継ぎ、リズム、イントネーションが含まれるが、これらには限定されない。メッセージ１６１２は、ユーザに報知する内容であり、例えば、「大きな声が出ていますね」、「もっと大きな声を出しましょう」が含まれる。なお、メッセージ１６１２は、ここに示した例には限定されない。ユーザの行動を想定して複数のメッセージを用意しておいてもよい。そして、報知部１５０２は、例えば、メッセージテーブル１６０１を参照して、ユーザに対してメッセージを報知する。
【００７０】
図１７は、本実施形態に係る情報処理装置のハードウェア構成を示すブロック図である。ＲＡＭ１７４０は、ＣＰＵ５１０が一時記憶のワークエリアとして使用するランダムアクセスメモリである。ＲＡＭ１７４０には、本実施形態の実現に必要なデータを記憶する領域が確保されている。声データ１７４１は、ユーザの声の大きさを含むデータである。メッセージ１７４２は、ユーザに報知するメッセージの内容である。
【００７１】
ストレージ１７５０には、データベースや各種のパラメータ、あるいは本実施形態の実現に必要な以下のデータまたはプログラムが記憶されている。ストレージ１７５０は、メッセージテーブル１６０１を格納する。メッセージテーブル１６０１は、図１６に示したユーザの声１６１１とメッセージ１６１２との関係を管理するテーブルである。ストレージ１７５０は、さらに、判定モジュール１７５１および報知モジュール１７５２を格納する。判定モジュール１７５１は、ユーザの声の大きさを判定するモジュールである。報知モジュール１７５２は、ユーザの声の大きさに応じたメッセージをユーザに対して報知する。
【００７２】
図１８は、本実施形態に係る情報処理装置の処理手順を説明するフローチャートである。このフローチャートは、図１７のＣＰＵ５１０がＲＡＭ１７４０を使用して実行し、図１５の情報処理装置１５００の機能構成部を実現する。ステップＳ１８０１において、情報処理装置１５００は、ユーザの声の大きさを判定する。ステップＳ１８０３において、情報処理装置１５００は、判定したユーザの声の大きさに応じたメッセージをユーザに対して報知する。
【００７３】
本実施形態によれば、ユーザの声の大きさに応じたメッセージをユーザに対して報知するので、ユーザに対してリアルタイムで認知機能改善プログラムの実行状況をフィードバックすることができる。
【００７４】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００７５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2020109540.tif 000003
【図２Ａ】
2020109540.tif 000004
【図２Ｂ】
2020109540.tif 000005
【図２Ｃ】
2020109540.tif 000006
【図２Ｄ】
2020109540.tif 000007
【図２Ｅ】
2020109540.tif 000008
【図２Ｆ】
2020109540.tif 000009
【図２Ｇ】
2020109540.tif 000010
【図２Ｈ】
2020109540.tif 000011
【図３】
2020109540.tif 000012
【図４Ａ】
2020109540.tif 000013
【図４Ｂ】
2020109540.tif 000014
【図５】
2020109540.tif 000015
【図６】
2020109540.tif 000016
【図７】
2020109540.tif 000017
【図８】
2020109540.tif 000018
【図９】
2020109540.tif 000019
【図１０】
2020109540.tif 000020
【図１１】
2020109540.tif 000021
【図１２】
2020109540.tif 000022
【図１３】
2020109540.tif 000023
【図１４】
2020109540.tif 000024
【図１５】
2020109540.tif 000025
【図１６】
2020109540.tif 000026
【図１７】
2020109540.tif 000027
【図１８】
2020109540.tif 000028